(57)【特許請求の範囲】
【請求項１】
ポリオレフィン樹脂で成形され内周面が平滑で外周面に山部と谷部が交互に形成された可撓管本体と、可撓管本体の長手方向一端部に固定されるポリオレフィン樹脂で成形される雄ねじ継ぎ手部と、長手方向他端部に固定されるポリオレフィン樹脂で成形される雌ねじ継ぎ手部とからなる蛇腹状可撓管であって、
雄ねじ継ぎ手部は、ポリオレフィン樹脂で成形されたインサイドリングとポリオレフィン樹脂からなる雄ねじとからなり、
雄ねじ継ぎ手部のインサイドリングが可撓管本体の一端部内面に挿入させられ密着させられた状態で射出成形されるポリオレフィン樹脂からなる雄ねじにより該インサイドリングは可撓管本体の一端部内面に密着固定されて設けられ、該インサイドリングと雄ねじとからなる雄ねじ継ぎ手部は、可撓管本体の一端部に接続固定されるとともに、
雌ねじ継ぎ手部は、ポリオレフィン樹脂で成形されたインサイドリングとポリオレフィン樹脂からなる雌ねじとからなり、
雌ねじ継ぎ手部のインサイドリングが可撓管本体の他端部内面に挿入させられ密着させられた状態で射出成形されるポリオレフィン樹脂からなる雌ねじにより該インサイドリングは可撓管本体の他端部内面に密着固定されて設けられ、該インサイドリングと雌ねじとからなる雌ねじ継ぎ手部は、可撓管本体の他端部に接続固定されるとともに、
雄ねじ継ぎ手部の雄ねじは、他の同じ形状の蛇腹状可撓管の雌ねじ継ぎ手部の雌ねじと螺合可能であり、雌ねじ継ぎ手部の雌ねじは、他の同じ形状の蛇腹状可撓管の雄ねじ継ぎ手部の雄ねじと螺合可能であることを特徴とする蛇腹状可撓管。
【請求項２】
ポリオレフィン樹脂で成形され内周面が平滑で外周面に山部と谷部が交互に形成された可撓管本体と、可撓管本体の長手方向一端部に固定されるポリオレフィン樹脂で成形される雄ねじ継ぎ手部と、長手方向他端部に固定されるポリオレフィン樹脂で成形される雌ねじ継ぎ手部とからなる蛇腹状可撓管であって、
雄ねじ継ぎ手部は、ポリオレフィン樹脂で成形されたインサイドリングとポリオレフィン樹脂からなる雄ねじとからなり、
雄ねじ継ぎ手部のインサイドリングが可撓管本体の一端部内面に挿入させられ密着させられた状態で射出成形されるポリオレフィン樹脂からなる雄ねじにより該インサイドリングは可撓管本体の一端部内面に密着固定されて設けられ、該インサイドリングと雄ねじとからなる雄ねじ継ぎ手部は、可撓管本体の一端部に接続固定されるとともに、
雌ねじ継ぎ手部は、ポリオレフィン樹脂で成形されたインサイドリングとポリオレフィン樹脂からなる雌ねじとからなり、
雌ねじ継ぎ手部のインサイドリングが可撓管本体の他端部内面に挿入させられ密着させられた状態で射出成形されるポリオレフィン樹脂からなる雌ねじにより該インサイドリングは可撓管本体の他端部内面に密着固定されて設けられ、該インサイドリングと雌ねじとからなる雌ねじ継ぎ手部は、可撓管本体の他端部に接続固定されるとともに、
かつ、蛇腹状可撓管は、一端に蛇腹状可撓管の雄ねじ継ぎ手部の雄ねじに螺合可能な径を有する接続用雌ねじを有し他端側に内周面及び外周面が平滑面からなる円筒部を設けてなる異種管体接続用雌ねじソケットを、接続ソケット用雌ねじによって雄ねじ継ぎ手部の雄ねじに螺合させることによって、異種管体接続用雌ねじソケットを介して異種素材からなる管体に接続可能であり、
かつ、蛇腹状可撓管は、一端に蛇腹状可撓管の雌ねじ継ぎ手部の雌ねじに螺合可能な径を有する接続用雄ねじを有し他端側に内周面及び外周面が平滑面からなる円筒部を設けてなる異種管体接続用雄ねじソケットを、接続ソケット用雄ねじによって雌ねじ継ぎ手部の雌ねじに螺合し、異種管体接続用雄ねじソケットを介して異種素材からなる管体に接続可能であることを特徴とする蛇腹状可撓管。
【発明の詳細な説明】
【０００１】
【発明の属する技術分野】
この発明は、住宅等の下水道等に使用され、ポリオレフィン製で異種の材料からなる管体にも接続可能な蛇腹状可撓管に関する。
【０００２】
【従来の技術】
戸建て住宅の排水分野では、平成１２年６月から施行されている「住宅の品質確保促進法」の維持管理容易性能に関する評価方法基準により「戸建て住宅においては、地中埋設管が、建物の構造体、スラブ下又はコンクリートのべた基礎内に埋め込まれていないこと」と定められた。
【０００３】
そのため、コンクリートのべた基礎内には鞘管を埋め込み、この鞘管の中に曲折自在なフレキシブル管など挿通させて下水道用の配水管として設ける方法が知られている。
【０００４】
従来のフレキシブル管としては、一般的に硬質塩化ビニル樹脂製の蛇腹管が知られている（従来技術１）。また、従来技術１の改良型としては特開平１１−３７３７８号公報（従来技術２）に「強度を保持する螺旋状の硬質塩化ビニル樹脂製の補強材（外層）と、それに追従するシート状の軟質塩化ビニル樹脂製のホース本体（内層）との２層構造」のフレキシブル管が開示されている。
【０００５】
しかし、従来技術２のフレキシブル管では、製造コストが従来技術１に比べて高くなるため、硬質塩化ビニル樹脂製に代わって、ポリオレフィン樹脂素材を主体として使用し内周面が平滑なフレキシブル管も製造されている。ポリオレフィン樹脂素材を使用したフレキシブル管の接合方法としては、特開昭６１−９２１１３号公報（従来技術３）、特開平６−２８８４９５号公報（従来技術４）、特開平９−２７３６９２号公報（従来技術５）などが知られている。
【０００６】
また、本願発明者は、特願２００１−９６６５６号（従来技術６）で「波付管がポリエチレン樹脂製のものであり、接続される管体が硬質塩化ビニル樹脂製のものであり、接続用ソケットが透明な硬質塩化ビニル樹脂製のものである波付管と異種材料製の管体と接続するための波付管の端部構造」を提案している。
【０００７】
【発明が解決しようとする課題】
上述した従来のフレキシブル管は、硬質塩化ビニル樹脂製であると硬質塩化ビニル樹脂製同士の接合は、通常の接着剤を使用して接合することが可能である。しかしながら、従来技術３乃至５のようにポリオレフィン樹脂からなるフレキシブル管であると、接着剤による接着が不可能であるため、他に硬質塩化ビニル樹脂製等の接着剤が使用可能な接合部を取り付けて構成する必要があった。
【０００８】
同様に、従来技術６においても波付管本体はポリオレフィン樹脂に含まれるポリエチレン樹脂製からなり、ポリエチレン樹脂製であるため接着剤による接着、接続が不可能であるため、波付管端部に接着剤の使用が可能な硬質塩化ビニル樹脂製等の素材からなる接続用ソケットを取り付けている。そして接続用ソケットの固定方法は、波付管本体端部と波付管本体端部に嵌合した接続用ソケットのそれぞれの外周に跨って固定リングを射出成形して固定している。したがって、従来技術６においても、接続用端部には硬質塩化ビニル樹脂等の接着剤の使用が可能な素材からなる接続端部を固定して取り付ける必要があった。
【０００９】
【課題を解決するための手段】
この課題を解決するために、ポリオレフィン樹脂で成形され内周面が平滑で外周面に山部と谷部が交互に形成された可撓管本体と、可撓管本体の長手方向一端部に固定されるポリオレフィン樹脂で成形される雄ねじ継ぎ手部と、長手方向他端部に固定されるポリオレフィン樹脂で成形される雌ねじ継ぎ手部とからなる蛇腹状可撓管であって、
雄ねじ継ぎ手部は、ポリオレフィン樹脂で成形されたインサイドリングとポリオレフィン樹脂からなる雄ねじとからなり、
雄ねじ継ぎ手部のインサイドリングが可撓管本体の一端部内面に挿入させられ密着させられた状態で射出成形されるポリオレフィン樹脂からなる雄ねじにより該インサイドリングは可撓管本体の一端部内面に密着固定されて設けられ、該インサイドリングと雄ねじとからなる雄ねじ継ぎ手部は、可撓管本体の一端部に接続固定されるとともに、
雌ねじ継ぎ手部は、ポリオレフィン樹脂で成形されたインサイドリングとポリオレフィン樹脂からなる雌ねじとからなり、
雌ねじ継ぎ手部のインサイドリングが可撓管本体の他端部内面に挿入させられ密着させられた状態で射出成形されるポリオレフィン樹脂からなる雌ねじにより該インサイドリングは可撓管本体の他端部内面に密着固定されて設けられ、該インサイドリングと雌ねじとからなる雌ねじ継ぎ手部は、可撓管本体の他端部に接続固定されるとともに、
雄ねじ継ぎ手部の雄ねじは、他の同じ形状の蛇腹状可撓管の雌ねじ継ぎ手部の雌ねじと螺合可能であり、雌ねじ継ぎ手部の雌ねじは、他の同じ形状の蛇腹状可撓管の雄ねじ継ぎ手部の雄ねじと螺合可能であることを特徴とする蛇腹状可撓管を提案する。
【００１０】
又、ポリオレフィン樹脂で成形され内周面が平滑で外周面に山部と谷部が交互に形成された可撓管本体と、可撓管本体の長手方向一端部に固定されるポリオレフィン樹脂で成形される雄ねじ継ぎ手部と、長手方向他端部に固定されるポリオレフィン樹脂で成形される雌ねじ継ぎ手部とからなる蛇腹状可撓管であって、
雄ねじ継ぎ手部は、ポリオレフィン樹脂で成形されたインサイドリングとポリオレフィン樹脂からなる雄ねじとからなり、
雄ねじ継ぎ手部のインサイドリングが可撓管本体の一端部内面に挿入させられ密着させられた状態で射出成形されるポリオレフィン樹脂からなる雄ねじにより該インサイドリングは可撓管本体の一端部内面に密着固定されて設けられ、該インサイドリングと雄ねじとからなる雄ねじ継ぎ手部は、可撓管本体の一端部に接続固定されるとともに、
雌ねじ継ぎ手部は、ポリオレフィン樹脂で成形されたインサイドリングとポリオレフィン樹脂からなる雌ねじとからなり、
雌ねじ継ぎ手部のインサイドリングが可撓管本体の他端部内面に挿入させられ密着させられた状態で射出成形されるポリオレフィン樹脂からなる雌ねじにより該インサイドリングは可撓管本体の他端部内面に密着固定されて設けられ、該インサイドリングと雌ねじとからなる雌ねじ継ぎ手部は、可撓管本体の他端部に接続固定されるとともに、
かつ、蛇腹状可撓管は、一端に蛇腹状可撓管の雄ねじ継ぎ手部の雄ねじに螺合可能な径を有する接続用雌ねじを有し他端側に内周面及び外周面が平滑面からなる円筒部を設けてなる異種管体接続用雌ねじソケットを、接続ソケット用雌ねじによって雄ねじ継ぎ手部の雄ねじに螺合させることによって、異種管体接続用雌ねじソケットを介して異種素材からなる管体に接続可能であり、
かつ、蛇腹状可撓管は、一端に蛇腹状可撓管の雌ねじ継ぎ手部の雌ねじに螺合可能な径を有する接続用雄ねじを有し他端側に内周面及び外周面が平滑面からなる円筒部を設けてなる異種管体接続用雄ねじソケットを、接続ソケット用雄ねじによって雌ねじ継ぎ手部の雌ねじに螺合し、異種管体接続用雄ねじソケットを介して異種素材からなる管体に接続可能であることを特徴とする蛇腹状可撓管を提案する。
【００１２】
【発明の実施の形態】
この発明の第１実施形態である蛇腹状可撓管の一部切欠正面図を示す図１、同じく蛇腹状可撓管の雌ねじ継ぎ手部側端部を示す断面図である図２、同じく蛇腹状可撓管の雄ねじ継ぎ手部側端部を示す一部断面正面図である図３、同じく２本の蛇腹状可撓管の雄ねじ継ぎ手部と雌ねじ継ぎ手部を螺合して接続した状態の接続部分の一部正面図である図４、この発明の第２実施形態である蛇腹状可撓管の雌ねじ継ぎ手部側端部を示す断面図である図５、同じくこの発明の実施形態である蛇腹状可撓管の雄ねじ継ぎ手部側端部を示す一部断面正面図である図６、この発明の第１実施形態である蛇腹状可撓管の雄ねじ継ぎ手部側端部に異種管体接続用雌ねじソケットを螺合した状態を示す一部断面図を示す図７、同じく蛇腹状可撓管の雌ねじ継ぎ手部側端部に異種管体接続用雄ねじソケットを螺合した状態を示す一部断面図を示す図８、この発明の実施形態である蛇腹状可撓管を曲状の鞘管に挿入した状態を示す説明断面図である図９に基づいて説明する。
【００１３】
この発明の第１実施形態である蛇腹状可撓管１は、ポリオレフィン樹脂（ポリエチレン樹脂、ポリプロピレン樹脂、ポリブテン樹脂等）製からなる可撓管本体１０と、可撓管本体１０の長手方向一端部にポリオレフィン樹脂で成形されて設けられる雄ねじ継ぎ手部１１と、長手方向他端部にポリオレフィン樹脂で成形されて設けられる雌ねじ継ぎ手部１２とからなる。この実施例では、蛇腹状可撓管１の素材は、ポリエチレン樹脂からなる。
【００１４】
可撓管本体１０は、内周面が平滑で外周面に山部と谷部が交互に形成された波付管である蛇腹状可撓管である。可撓管本体１０の長さは、両端部の雄ねじ継ぎ手部１１と雌ねじ継ぎ手部１２を取り付けた長さで、この実施形態では９００ｍｍ（半間）であるが、他に例えば９００ｍｍの倍数の１８００ｍｍ（一間）、２７００ｍｍ（一間半）、あるいは半分の４５０ｍｍ等、複数種類の長さの可撓管本体１０を形成してもよい。
【００１５】
雄ねじ継ぎ手部１１は、インサイドリング１１０と雄ねじ１１１とからなる。雄ねじ継ぎ手部１１を、可撓管本体１０の一端部に接続固定する方法は、ポリオレフィン樹脂（ポリエチレン樹脂）で成型されたインサイドリング１１０を可撓管本体１０の一端部内面に挿入させ密着させた状態で、ポリオレフィン樹脂（ポリエチレン樹脂）からなる雄ねじ１１１を射出成形して可撓管本体１０の一端部に接続固定される。
【００１６】
雌ねじ継ぎ手部１２は、インサイドリング１２０と雌ねじ１２１とからなる。雌ねじ継ぎ手部１２を、可撓管本体１０の他端部（一端部）に接続固定する方法は、ポリオレフィン樹脂（ポリエチレン樹脂）で成型されたインサイドリング１２０を可撓管本体１０の他端部内面に挿入させ密着させた状態で、ポリオレフィン樹脂（ポリエチレン樹脂）からなる雌ねじ１２１を射出成形して可撓管本体１０の他端部に接続固定される。
【００１７】
雄ねじ継ぎ手部１１の雄ねじ１１１と雌ねじ継ぎ手部１２の雌ねじ１２１は、他の蛇腹状可撓管１と１ｍｍ程度の余裕をもって螺合可能であり、雄ねじ継ぎ手部１１と雌ねじ継ぎ手部１２を、この発明の別体の蛇腹状可撓管１と次々に螺合することにより長さを調整することが可能である。１３はＯリングであり、弾性体素材から形成される。Ｏリング１３は、蛇腹状可撓管１同士を螺合接続する場合、雄ねじ１１１と雌ねじ１２１の間に挿入されて管周上に設けられ、蛇腹状可撓管１の水密を保つ作用を行う。更にＯリング１３は、後述する蛇腹状可撓管１と異種管体接続用雌ねじソケット２、蛇腹状可撓管１と異種管体接続用雄ねじソケット３の螺合接続する場合も相互の間に挿入されて管周上に設けられ、蛇腹状可撓管１の水密を保つ作用を行う。
【００１８】
第２実施形態では、内周面が平滑で外周面に山部と谷部が交互に形成された波付管である蛇腹状可撓管１ａであり、可撓管本体１０ａと両端部に設ける雄ねじ１１１ａを有する雄ねじ継ぎ手部１１ａと、雌ねじ１２１ａを有する雌ねじ部１２ａが、ポリオレフィン樹脂（ポリエチレン樹脂）で一体に成形されている。この第２実施形態でも、全体の長さ、外周面を形成する波付管の山部の外径、谷部の外径、ほぼ平滑な内周面の内径などの寸法は第１実施形態と同様である。
【００１９】
図７及び図８は、この発明の第１実施形態である蛇腹状可撓管１に戸建て住宅に固定される塩化ビニル樹脂等の異種素材からなる下水道等の管体に接続した状態の接続部分の断面図である。
【００２０】
図７は、蛇腹状可撓管１の雄ねじ継ぎ手部１１側端部に異種管体接続用雌ねじソケット２を螺合し、この異種管体接続用雌ねじソケット２を介して異種素材からなる下水道等の管体４に接続した状態を示している。異種管体接続用雌ねじソケット２は、一端に蛇腹状可撓管１の雄ねじ継ぎ手部１１の雄ねじ１１１に螺合可能な径を有する接続ソケット用雌ねじ２０を有するとともに、他端側に内周面及び外周面が平滑面からなる円筒部２１を設けている。異種管体接続用雌ねじソケット２は、円筒部２１により下水道等の異種素材からなる管体４に接着剤などで固定される。
【００２１】
図８、蛇腹状可撓管１の雌ねじ継ぎ手部１２側端部に異種管体接続用雄ねじソケット３を螺合し、この異種管体接続用雄ねじソケット３を介して異種素材からなる下水道等の管体４に接続した状態を示している。異種管体接続用雄ねじソケット３は、一端に蛇腹状可撓管１の雌ねじ継ぎ手部１２の雌ねじ１２１に螺合可能な径を有する接続ソケット用雄ねじ３０を有するとともに、他端側に内周面及び外周面が平滑面からなる円筒部３１を設けている。異種管体接続用雄ねじソケット３は、円筒部３１により下水道等の異種素材からなる管体４に接着剤などで固定される。
【００２２】
次に、この発明の作用を説明する。この実施例としては、図９に示すように蛇腹状可撓管１は、長さは、９００ｍｍ又は１８００ｍｍとして複数本形成され、これらの蛇腹状可撓管１を戸建て住宅のべた基礎コンクリート等に埋設固定された鞘管Ａに挿入して設けている。図９において、４は戸建て住宅に固定されて設けられ塩化ビニル樹脂等の素材で成る下水道管等の端部である。
【００２３】
各々の蛇腹状可撓管１は、それぞれ一端部は雄ねじ継ぎ手部１１を設けており、雄ねじ継ぎ手部１１の長手方向逆側の他端部には雌ねじ継ぎ手部１２を設けているので、順次雄ねじ継ぎ手部１１と、他の蛇腹状可撓管１の雌ねじ継ぎ手部１２とを螺合して、複数の蛇腹状可撓管１を接続することで現場の長さに応じた下水道排水管等を形成することができる。
【００２４】
更に、これらの蛇腹状可撓管１を複数本螺合させて接続してなる可撓管５を、鞘管Ａ等に挿入して、可撓管５の端部で戸建て住宅等に固定される塩化ビニル樹脂等の異種素材からなる下水道等の管体端部に接続する必要がある場合は、可撓管５の端部が雄ねじ継ぎ手部１１の場合は異種管体接続用雌ねじソケット２を螺合させ、可撓管５の端部が雌ねじ継ぎ手部１２の場合は異種管体接続用雄ねじソケット３を可撓管５の端部に螺合することにより、異種素材からなる下水道等の管体４に接続することが可能である。この接続作業もねじ部の螺合により可能であるため作業は容易に行える。
【００２５】
【発明の効果】
この発明によれば、戸建て住宅等の下水道排水管等に使用される蛇腹状可撓管が、ポリオレフィン樹脂製であり、かつ接着剤を全く使わないため、接続作業が非常に容易になり短時間で作業を行うことが可能になった。
【００２６】
また、設置現場によって異なる下水道排水管等の長さに応じて、ねじ部による螺合作業により容易に合わせることができ、下水道排水管等を形成する作業効率が向上した。
【００２７】
更に蛇腹状可撓管の素材が、ポリオレフィン樹脂単体の素材から成形されているため、廃棄され焼却場等で焼却される場合も、環境汚染物質の排出がポリ塩化ビニル樹脂等より少ない。
【図面の簡単な説明】
【図１】  この発明の第１実施形態である蛇腹状可撓管の一部切欠正面図
【図２】  同じく蛇腹状可撓管の雌ねじ継ぎ手部側端部を示す断面図
【図３】  同じく蛇腹状可撓管の雄ねじ継ぎ手部側端部を示す一部断面正面図
【図４】  同じく２本の蛇腹状可撓管の雄ねじ継ぎ手部と雌ねじ継ぎ手部を螺合して接続した状態の接続部分の一部正面図
【図５】  この発明の第２実施形態である蛇腹状可撓管の雌ねじ継ぎ手部側端部を示す断面図
【図６】  同じくこの発明の実施形態である蛇腹状可撓管の雄ねじ継ぎ手部側端部を示す一部断面正面図
【図７】  この発明の第１実施形態である蛇腹状可撓管の雄ねじ継ぎ手部側端部に異種管体接続用雌ねじソケットを螺合した状態を示す一部断面図
【図８】  同じく蛇腹状可撓管の雌ねじ継ぎ手部側端部に異種管体接続用雄ねじソケットを螺合した状態を示す一部断面図
【図９】  この発明の実施形態である蛇腹状可撓管を複数本接続して曲状の鞘管に挿入し可撓管端部で異種管体に接続した状態を示す説明断面図
【符号の説明】
１  蛇腹状可撓管（第１実施形態）
１０  可撓管本体
１１  雄ねじ継ぎ手部
１１０  インサイドリング
１１１  雄ねじ
１２  雌ねじ継ぎ手部
１２０  インサイドリング
１２１  雌ねじ
１３  Ｏリング
１ａ  蛇腹状可撓管（第２実施形態）
１０ａ  可撓管本体
１１ａ  雄ねじ継ぎ手部
１１１ａ  雄ねじ
１２ａ  雌ねじ継ぎ手部
１２１ａ  雌ねじ
２  異種管体接続用雌ねじソケット
２０  接続ソケット用雌ねじ
２１  円筒部
３  異種管体接続用雄ねじソケット
３０  接続ソケット用雄ねじ
３１  円筒部
４  異種素材から成る管体
５  可撓管（蛇腹状可撓管１を複数本接続した管）
Ａ  鞘管
【図１】
0003688620.tif 000002
【図２】
0003688620.tif 000003
【図３】
0003688620.tif 000004
【図４】
0003688620.tif 000005
【図５】
0003688620.tif 000006
【図６】
0003688620.tif 000007
【図７】
0003688620.tif 000008
【図８】
0003688620.tif 000009
【図９】
0003688620.tif 000010